(57)【要約】【課題】上演に際して利用される字幕情報などの参照情報を簡易かつ確実に提供することができる情報配信システム及び情報配信方法の提供。【解決手段】字幕情報を字幕投射用プロジェクタ２と配信サーバ４とに出力する字幕情報配信制御装置３と、字幕情報を劇場内基地局５に送信する配信サーバ５と、劇場内基地局５を制御する基地局制御装置１５と、観客８が所持する携帯端末６とで構成し、字幕情報配信制御装置３では、字幕投射用プロジェクタ２には上演に合わせて字幕クラスタデータを出力し、配信サーバ４には上演前に字幕クラスタデータを送信すると共に上演に合わせて字幕クラスタＩＤを配信し、基地局制御装置１５は、配信サーバ４から配信される字幕クラスタＩＤを固定された周波数チャンネル及びスロットで予め登録された携帯端末６に送信すると共に上演中の携帯端末６への着信を制限する制御を行う。【選択図】図１
2007236711.tif 000002
【特許請求の範囲】
【請求項１】
所定の演目の上演に際して利用される参照情報を建物内に設置される表示装置に出力する情報配信制御手段を備える情報配信システムにおいて、
前記参照情報を受信する配信サーバと、前記建物内に設置される基地局と、前記演目を観覧する観客が所持する携帯端末とを含み、
前記情報配信制御手段は、前記表示装置への出力に同期させて、前記参照情報を前記配信サーバに送信する機能を備え、
前記配信サーバは、受信した前記参照情報を前記基地局を経由して前記携帯端末に送信する機能を備え、
前記携帯端末は、受信した前記参照情報を表示手段に表示する機能を備えることを特徴とする情報配信システム。
【請求項２】
所定の演目の上演に際して利用される参照情報を建物内に設置される表示装置に出力する情報配信制御手段を備える情報配信システムにおいて、
前記参照情報を受信する配信サーバと、前記建物内に設置される基地局と、前記演目を観覧する観客が所持する携帯端末とを含み、
前記情報配信制御手段は、前記演目の上演前に、前記参照情報をＩＤで識別可能に区分した区分データを前記配信サーバに送信すると共に、前記演目の上演中に、前記表示装置への個々の前記区分データの出力に同期させて、個々の前記区分データに対応する前記ＩＤを前記配信サーバに送信する機能を備え、
前記配信サーバは、前記演目の上演前に、全ての前記区分データを前記携帯端末に提供すると共に、前記演目の上演中に、個々の前記区分データに対応する前記ＩＤを前記基地局を経由して前記携帯端末に送信する機能を備え、
前記携帯端末は、受信した前記ＩＤに対応する前記区分データを特定し、該区分データを表示手段に表示する機能を備えることを特徴とする情報配信システム。
【請求項３】
前記配信サーバは、全ての前記区分データが予め組み込まれ、前記ＩＤを受信すると、受信した前記ＩＤに対応する前記区分データを特定して表示手段に表示する機能を備えたアプリケーションを前記携帯端末に提供することを特徴とする請求項２記載の情報配信システム。
【請求項４】
更に、前記基地局を制御する基地局制御手段を備え、
前記基地局制御手段は、データベースに予め登録された前記携帯端末を特定し、前記参照情報又は前記ＩＤを前記基地局から特定した前記携帯端末に配信させる機能を備えることを特徴とする請求項１乃至３のいずれか一に記載の情報配信システム。
【請求項５】
前記基地局制御手段は、前記基地局と前記携帯端末との通信に際して、周波数チャンネル及びスロットを固定する機能を備えることを特徴とする請求項４記載の情報配信システム。
【請求項６】
前記基地局制御手段は、前記参照情報又は前記ＩＤの配信中は、前記携帯端末に対する着信を制限する機能を備えることを特徴とする請求項４又は５に記載の情報配信システム。
【請求項７】
前記基地局制御手段は、前記参照情報又は前記ＩＤの配信中は、他の基地局と前記携帯端末との通信を制限する機能を備えることを特徴とする請求項４乃至６のいずれか一に記載の情報配信システム。
【請求項８】
前記参照情報は、映画の上演に際して表示される字幕情報であることを特徴とする請求項１乃至７のいずれか一に記載の情報配信システム。
【請求項９】
所定の演目の上演に際して利用される参照情報を配信する情報配信方法であって、
前記参照情報を、建物内に設置された表示装置と配信サーバとに同期して出力するステップと、
前記参照情報を、前記配信サーバから前記建物内に設置された基地局を経由して前記演目を観覧する観客が所持する携帯端末に送信する送信ステップと、
前記携帯端末で前記参照情報を受信して表示手段に表示するステップと、を少なくとも有することを特徴とする情報配信方法。
【請求項１０】
所定の演目の上演に際して利用される参照情報を配信する情報配信方法であって、
前記演目の上演前に、前記参照情報をＩＤで識別可能に区分した区分データを配信サーバに出力するステップと、
前記演目の上演前に、全ての前記区分データを、前記配信サーバから前記演目を観覧する観客が所持する携帯端末に提供するステップと、
前記演目の上演中に、個々の前記区分データを建物内に設置された表示装置に出力すると共に、該出力に同期して、個々の前記区分データに対応する前記ＩＤを前記配信サーバに出力するステップと、
前記ＩＤを、前記配信サーバから前記建物内に設置された基地局を経由して前記携帯端末に送信する送信ステップと、
前記携帯端末で前記ＩＤを受信し、該ＩＤに対応する前記区分データを特定して表示手段に表示するステップと、を少なくとも有することを特徴とする情報配信方法。
【請求項１１】
前記携帯端末への前記区分データの提供に際して、前記区分データが予め組み込まれ、前記ＩＤを受信すると、受信した前記ＩＤに対応する前記区分データを特定し、該区分データを表示手段に表示する機能を備えたアプリケーションとして提供することを特徴とする請求項１０記載の情報配信方法。
【請求項１２】
前記送信ステップでは、データベースに予め登録された前記携帯端末に対して、前記参照情報又は前記ＩＤを送信することを特徴とする請求項９乃至１１のいずれか一に記載の情報配信方法。
【請求項１３】
前記送信ステップでは、前記基地局と前記携帯端末との通信に際して、周波数チャンネル又はスロットを固定することを特徴とする請求項１２記載の情報配信方法。
【請求項１４】
前記送信ステップでは、前記参照情報又は前記ＩＤの配信中は、前記携帯端末に対する着信を制限することを特徴とする請求項１２又は１３に記載の情報配信方法。
【請求項１５】
前記送信ステップでは、前記参照情報又は前記ＩＤの配信中は、他の基地局と前記携帯端末との通信を制限することを特徴とする請求項１２乃至１４のいずれか一に記載の情報配信方法。
【請求項１６】
前記参照情報は、映画の上演に際して表示される字幕情報であることを特徴とする請求項９乃至１５のいずれか一に記載の情報配信方法。
【発明の詳細な説明】
【技術分野】
【０００１】
本発明は、情報配信システム及び情報配信方法に関し、特に、劇場における演目の上演に際して利用される字幕情報などの参照情報を配信する情報配信システム及び情報配信方法に関する。
【背景技術】
【０００２】
近年の海外劇場芸術公演、歌舞伎公演などの増加により、観客側の理解の助けとなる情報提供手段の整備が望まれていた。このような外国語演劇、オペラ、伝統芸能などの上演観覧においては、上演に用いられる言語が日本語あるいは現代語とは異なったり、難解な表現様式によったりと、上演と同時の翻訳情報、解説情報の提供により鑑賞の助けとなる場合が多く、また、一般コンサート等では、演奏曲の歌詞や楽曲情報等を提供することにより演目を享受する助けとなる場合が多い。
【０００３】
従来、これらの情報は、舞台周辺に設けられた投射スクリーンや文字表示装置に投射あるいは表示されたり、専用のＦＭ受信機を有料で貸し出して専用のＦＭ音声放送形態で提供されていた。例えば、下記特許文献１には、会話部を見るために、視聴者が装着する個々の目視手段と、目視手段に会話文字を表す信号を送る送信手段と、目視手段に電力を供給するための電力供給手段と、を備えたシステムが開示されている。
【０００４】
【特許文献１】特開２００２−１５３６８４号公報（第４−６頁、第１図）
【発明の開示】
【発明が解決しようとする課題】
【０００５】
しかしながら、翻訳情報などの字幕情報を舞台周辺に設けられた投射スクリーン等に映写する方式では、劇場内の観客の座席位置によっては上演されている舞台から大きく視線をずらさないと見ることができない場合があり、不便であった。
【０００６】
また、専用のＦＭ受信機や上記特許文献１のような専用の携帯装置、前席背当て背面に設けた字幕表示装置などを用いて字幕情報を提供する方法では、保守を含めて大規模な投資が必要であり、更に専用装置の貸出の際の保証金管理等の運用の煩雑さが発生し、システムの導入が難しいという問題があった。
【０００７】
本発明は、上記問題点に鑑みてなされたものであって、その主たる目的は、上演に際して利用される翻訳情報や解説情報、歌詞、楽曲情報などの参照情報を簡易かつ確実に提供することができる情報配信システム及び情報配信方法を提供することにある。
【課題を解決するための手段】
【０００８】
上記目的を達成するため、本発明のシステムは、所定の演目の上演に際して利用される参照情報を建物内に設置される表示装置に出力する情報配信制御手段を備える情報配信システムにおいて、前記参照情報を受信する配信サーバと、前記建物内に設置される基地局と、前記演目を観覧する観客が所持する携帯端末とを含み、前記情報配信制御手段は、前記表示装置への出力に同期させて、前記参照情報を前記配信サーバに送信する機能を備え、前記配信サーバは、受信した前記参照情報を前記基地局を経由して前記携帯端末に送信する機能を備え、前記携帯端末は、受信した前記参照情報を表示手段に表示する機能を備えるものである。
【０００９】
また、本発明のシステムは、所定の演目の上演に際して利用される参照情報を建物内に設置される表示装置に出力する情報配信制御手段を備える情報配信システムにおいて、前記参照情報を受信する配信サーバと、前記建物内に設置される基地局と、前記演目を観覧する観客が所持する携帯端末とを含み、前記情報配信制御手段は、前記演目の上演前に、前記参照情報をＩＤで識別可能に区分した区分データを前記配信サーバに送信すると共に、前記演目の上演中に、前記表示装置への個々の前記区分データの出力に同期させて、個々の前記区分データに対応する前記ＩＤを前記配信サーバに送信する機能を備え、前記配信サーバは、前記演目の上演前に、全ての前記区分データを前記携帯端末に提供すると共に、前記演目の上演中に、個々の前記区分データに対応する前記ＩＤを前記基地局を経由して前記携帯端末に送信する機能を備え、前記携帯端末は、受信した前記ＩＤに対応する前記区分データを特定し、該区分データを表示手段に表示する機能を備えるものである。
【００１０】
本発明においては、前記配信サーバは、全ての前記区分データが予め組み込まれ、前記ＩＤを受信すると、受信した前記ＩＤに対応する前記区分データを特定して表示手段に表示する機能を備えたアプリケーションを前記携帯端末に提供する構成とすることができる。
【００１１】
また、本発明においては、更に、前記基地局を制御する基地局制御手段を備え、前記基地局制御手段は、データベースに予め登録された前記携帯端末を特定し、前記参照情報又は前記ＩＤを前記基地局から特定した前記携帯端末に配信させる機能を備える構成とすることができる。
【００１２】
また、本発明においては、前記基地局制御手段は、前記基地局と前記携帯端末との通信に際して、周波数チャンネル及びスロットを固定する機能、又は、前記参照情報又は前記ＩＤの配信中は、前記携帯端末に対する着信を制限する機能、又は、前記参照情報又は前記ＩＤの配信中は、他の基地局と前記携帯端末との通信を制限する機能を備える構成とすることもできる。
【００１３】
また、本発明においては、前記参照情報は、映画の上演に際して表示される字幕情報とすることができる。
【００１４】
また、本発明の方法は、所定の演目の上演に際して利用される参照情報を配信する情報配信方法であって、前記参照情報を、建物内に設置された表示装置と配信サーバとに同期して出力するステップと、前記参照情報を、前記配信サーバから前記建物内に設置された基地局を経由して前記演目を観覧する観客が所持する携帯端末に送信する送信ステップと、前記携帯端末で前記参照情報を受信して表示手段に表示するステップと、を少なくとも有するものである。
【００１５】
また、本発明の方法は、所定の演目の上演に際して利用される参照情報を配信する情報配信方法であって、前記演目の上演前に、前記参照情報をＩＤで識別可能に区分した区分データを配信サーバに出力するステップと、前記演目の上演前に、全ての前記区分データを、前記配信サーバから前記演目を観覧する観客が所持する携帯端末に提供するステップと、前記演目の上演中に、個々の前記区分データを建物内に設置された表示装置に出力すると共に、該出力に同期して、個々の前記区分データに対応する前記ＩＤを前記配信サーバに出力するステップと、前記ＩＤを、前記配信サーバから前記建物内に設置された基地局を経由して前記携帯端末に送信する送信ステップと、前記携帯端末で前記ＩＤを受信し、該ＩＤに対応する前記区分データを特定して表示手段に表示するステップと、を少なくとも有するものである。
【００１６】
本発明においては、前記携帯端末への前記区分データの提供に際して、前記区分データが予め組み込まれ、前記ＩＤを受信すると、受信した前記ＩＤに対応する前記区分データを特定し、該区分データを表示手段に表示する機能を備えたアプリケーションとして提供する構成とすることができる。
【００１７】
また、本発明においては、前記送信ステップでは、データベースに予め登録された前記携帯端末に対して、前記参照情報又は前記ＩＤを送信する構成とすることができる。
【００１８】
また、本発明においては、前記送信ステップでは、前記基地局と前記携帯端末との通信に際して、周波数チャンネル又はスロットを固定し、また、前記参照情報又は前記ＩＤの配信中は、前記携帯端末に対する着信を制限し、また、前記参照情報又は前記ＩＤの配信中は、他の基地局と前記携帯端末との通信を制限構成とすることができる。
【００１９】
このように、本発明は、観客が所持する携帯端末を参照情報の表示装置として利用することによりシステムの構成を簡易にすることができると共に、視線移動を抑制して確実に参照情報を閲覧できるようにすることができる。また、上演前に区分データを送信し、上演中にＩＤのみを送信することにより、上演の進行に同期させて参照情報を提供できるようにすることができる。更に、データベースに予め登録された携帯端末に対して参照情報やＩＤを配信したり、上演中における携帯端末の着信を制限することにより、確実に参照情報を受信できるようにすることができる。
【発明の効果】
【００２０】
本発明の情報配信システム及び情報配信方法によれば、上演に際して利用される翻訳情報や解説情報、歌詞、楽曲情報などの参照情報を簡易かつ確実に提供することができる。
【００２１】
その理由は、参照情報の配信に際して、専用の設備や装置を利用するのではなく、観客が所持する携帯端末を用い、該携帯端末を参照情報の再生装置として利用するため、大規模な投資や運用の煩雑さを回避することができるからである。また、携帯端末を利用することにより、参照情報を見るために大きく視線を移動させる必要がなく、また、座席位置により参照情報の見易さが左右されることもないからである。
【００２２】
また、上演前に、参照情報をＩＤ（字幕クラスタＩＤ）で識別可能に区分した区分データ（字幕クラスタデータ）を送信し、上演中に、ＩＤのみを送信する構成とすることにより、該携帯端末に割り当てる周波数チャンネル及びスロットを固定することができ、上演の進行に同期させて参照情報を提供することができるからである。
【００２３】
さらに、データベースを参照して予め登録された携帯端末に対してのみ参照情報やＩＤを配信したり、上演中に該携帯端末への通話接続要求やメール配信を制限することにより、参照情報の再生が中断したり、観覧の妨げになるなどの不具合を未然に防止することができるからである。
【発明を実施するための最良の形態】
【００２４】
本発明に係る情報配信システムは、その好ましい一実施の形態において、上演に際して利用される翻訳情報や解説情報、歌詞、楽曲情報などの参照情報を、不特定の観客に閲覧されるスクリーンなどの固定装置と配信サーバとに同期して出力する情報配信制御装置と、参照情報を上演場所に設置された基地局に送信する配信サーバと、該基地局を制御する基地局制御手段と、観客が所持する携帯端末とを含み、情報配信制御装置では、上記固定装置に対しては、上演に合わせて、参照情報をＩＤで識別可能に区分した区分データを出力し、配信サーバに対しては、上演前に上記区分データを送信すると共に上演に合わせて上記ＩＤを配信し、基地局制御手段では、配信サーバから配信されるＩＤを固定された周波数チャンネル及びスロットで特定の携帯端末に送信する制御を行うと共に、上演中において該携帯端末に対する通話接続要求やメール配信を制限し、携帯端末では、受信したＩＤに対応する区分データを表示手段などに再生する。これにより、簡易かつ確実に参照情報を提供することが可能となる。
【実施例】
【００２５】
上記した実施の形態について更に詳細に説明すべく、本発明の一実施例に係る情報配信システム及び情報配信方法について、図１乃至図３を参照して説明する。図１は、本実施例の情報配信システムの構成を模式的に示す図である。図２は、本実施例の字幕情報配信の準備手順を示すフローチャート図であり、図３は、劇場における字幕情報の配信手順を示すフローチャート図である。なお、本実施例の情報配信システムで取り扱う情報として、上演に際して利用される翻訳情報や解説情報、歌詞、楽曲情報などがあるが、以下では、映画の上映に際して利用される字幕情報を例にして説明する。
【００２６】
図１に示すように、本実施例の情報配信システムは、字幕情報をスクリーンに映し出すための劇場内字幕投射用スクリーン１及び字幕情報投射用プロジェクタ２と、字幕情報配信操作者の操作により字幕情報を出力する字幕情報配信制御装置３と、字幕情報配信制御装置３から出力された字幕情報を携帯端末６に配信する配信サーバ４と、劇場内に設置された劇場内基地局５と、観客・聴衆８が所持する携帯電話機などの携帯端末６、劇場内基地局５を制御する基地局制御手段１５と、配信サーバ４と基地局制御装置１５とを繋ぐＩＰネットワーク９、ゲートウェイ１０及び携帯端末事業者ネットワーク１１と、メンバー登録情報を記憶するサービスメンバーＤＢ１４と、移動局制御や接続認証制御、課金制御等に利用される加入者管理ＤＢ１６及びロケーションＤＢ１７とで構成される。
【００２７】
劇場内字幕投射用スクリーン１は、字幕投射用プロジェクタ２からの映像出力を観客・聴衆８に視覚情報として提供する。なお、字幕情報の映示手段は、劇場内字幕投射用スクリーン１と字幕投射用プロジェクタ２の組合せに限定されない。
【００２８】
字幕情報配信制御装置３は、字幕情報配信操作者７の出力操作、指示により、字幕情報（例えば、一度に表示する所定の分量に区分した文字データ列にＩＤ（以下、字幕クラスタＩＤと称す。）を付与した区分データ（以下、字幕クラスタデータと称す。）の集まり）を内部記憶装置に蓄積し、字幕投射用プロジェクタ２及び配信サーバ４に出力する。なお、字幕クラスタデータに記録される文字データの言語は特に限定されず、日本語としてもよいし、他の言語としてもよいし、複数の言語としてもよい。また、字幕クラスタＩＤは各々の字幕クラスタデータを識別できるデータであればよく、その具体的な構成は特に限定されない。
【００２９】
配信サーバ４は、字幕情報を携帯端末６に配信する機能を果たす。具体的には、演目の上演が始まる前に、字幕クラスタデータを携帯端末６に提供する機能と、演目の上演が行われている間に、字幕情報配信制御装置３から出力された字幕クラスタＩＤを送信する機能とを有している。
【００３０】
サービスメンバーＤＢ１４は、ＩＰネットワーク９上に設けられ、字幕情報の配信サービスを提供する観客・聴衆８が所有する携帯端末６の固体識別ＩＤを記憶してメンバー登録を行う。例えば、観客・聴衆８が携帯端末６などを用いて、サービスの登録を行うＷｅｂサイト（例えば、配信サーバ４上で公開されたサイト）にアクセスし、携帯端末６の電話番号などを入力することにより、サービスメンバーＤＢ１４に電話番号が登録される。以下、上記登録を行った携帯端末６を所有する観客・聴衆８をサービスメンバーと称す。なお、図１では、サービスメンバーＤＢ１４や配信サーバ４をインターネットなどのＩＰネットワーク９上に設けているが、これらを携帯端末事業者ネットワーク１１上に設けてもよい。
【００３１】
また、劇場内基地局５は、劇場内にいる観客・聴衆８の使用している携帯端末６と通信する機能を有しており、該携帯端末６と通信できる場所、例えば、劇場内に設置される。また、劇場内基地局５は、設置されている劇場などを示す識別情報を有しており、ロケーションＤＢ１７に登録されている。
【００３２】
基地局制御装置１５は、携帯端末事業者ネットワーク１１を経由して加入者管理ＤＢ１６やロケーションＤＢ１７に接続され、加入者管理ＤＢ１６やロケーションＤＢ１７の情報に基づいて劇場内基地局５と携帯端末６との通信を制御する。また、ＩＰネットワーク９上のサービスメンバーＤＢ１４との通信機能を備えており、サービスメンバーＤＢ１４に予め登録された携帯端末６に字幕情報が配信されるように劇場内基地局５を制御する。
【００３３】
携帯端末６は、表示装置１３を備え、配信サーバ４からダウンロードしたアプリケーション１２を動作させ、アプリケーション１２に組み込まれている字幕クラスタデータと配信サーバ４から配信される字幕クラスタＩＤとを用いて、演目の上演に合わせて字幕情報を表示装置１３に表示する。なお、本実施例では、アプリケーション１２に字幕クラスタデータを組み込む構成としているが、アプリケーション１２に字幕クラスタデータを組み込まず、アプリケーション１２と字幕クラスタデータとを別々にダウンロードする構成としてもよい。また、字幕情報は表示装置１３に表示すると共に、又は表示する代わりに、アプリケーション１２で文字情報を音声情報に変換してスピーカなどから出力するようにしてもよいし、字幕情報を配信サーバ４などで音声情報に変換して、音声情報として配信するようにしてもよい。
【００３４】
次に、国内のＰＤＣ（Personal Digital Cellular）方式携帯電話システムを例にして基地局制御装置１５の動作について説明する。なお、一般的な携帯電話システムにおいて行われている加入者管理ＤＢ１９、ロケーションＤＢ１７などを利用した移動局制御、接続認証制御、課金制御等についての説明は割愛する。
【００３５】
ＰＤＣ方式においては、携帯電話機から携帯電話基地局への通信用、および、携帯電話基地局から携帯電話機への通信用に各々約３０ＭＨｚの周波数帯域が割当てられており、一つの周波数チャンネル当たりの帯域幅は約２５ｋＨｚで計１３１７の周波数チャンネル容量がある。さらに、１つの周波数チャンネルが、時間分割された９．６ｋｂｐｓのデータ容量をもつ３スロットで構成され、１スロット当たり１つの携帯端末６の接続が可能である。従って、１つの携帯電話基地局に対して３９５１台の携帯端末６が同時接続可能である。
【００３６】
一方、劇場の収容人数は、例えば新国立劇場のオペラ用ホールは１８１４席であり、その他の劇場においても最大２０００席程度であるので、一つの劇場内基地局５を設ければ全観客・聴衆８が所持する携帯端末６分の周波数チャンネルを確保することができる。なお、３９５１台以上の携帯端末６を利用することが想定される会場においては、複数の劇場内電話基地局５を設けて対応することもできる。
【００３７】
ただし、通常のパケット通信では、前述のように一つの周波数チャンネルを複数の携帯端末６で共有しているので、個々の携帯端末６から発信されるデータや、それら携帯端末６宛にネットワーク側から送られてくるデータは、送信タイミングが不規則でデータ量が不定なため、それぞれの携帯端末６が接続するスロットタイミングは、データの発生に応じて基地局制御装置１５の制御によって調整される。
【００３８】
その調整の結果、ある携帯端末６が接続している間、他方が接続データの送受信を待機する等の動作を行ったり、双方が同時にデータ送信を試みた場合、混信が発生して、基地局でどちらのデータも受信できず送信に失敗する等、データ転送量の低下やデータ送受の遅延が発生することがある。結果として、字幕情報の配信サービスにおいては、上演に同期した字幕情報の表示切替を行うための適切なタイミングで字幕クラスタＩＤが取得できず、字幕情報の表示が上演より遅延する等、極めて不都合な事態が発生する可能性がある。
【００３９】
この課題に対しては、本サービスにおいては、事前の契約により配信サービスを受ける携帯端末６の台数、携帯端末６の固体識別ＩＤが当該配信サービス提供開始前に確定し、送信されるデータ量も字幕クラスタデータＩＤという高々１０パケット(１パケット当たり１２８バイト)に限定される。そこで、基地局制御装置１５に、サービスメンバーＤＢ１４との通信機能を持たせると共に、劇場内基地局５と接続を確立できる携帯端末６をサービスメンバーＤＢ１４に登録されている携帯端末６に限定し、データの発生量や接続要求する携帯端末６の数量に応じた動的な割当管理を行わず、携帯端末６の固体識別ＩＤ毎に割り当てる周波数チャンネル及びスロットを固定する機能を持たせる。これにより、接続調整の時間ロスやパケット廃棄を減らし、上演に同期した字幕データ切替のタイミングに必要な情報容量を有する伝送路を、サービス提供を受ける携帯端末６用に確保することができる。
【００４０】
なお、上記の回線数や通信制御については、現在提供されている第三世代携帯電話機システムにおいても同等以上であるため、そのまま応用展開可能である。
【００４１】
以下、上記構成の情報配信システムを用いた情報配信方法について説明するが、初めに、観客・聴衆８がサービスメンバーに登録し、字幕情報を表示するためのアプリケーション１２を携帯端末６に搭載するまでの手順について、図２のフローチャート図を参照して説明する。
【００４２】
まず、ステップＳ１０１で、観客・聴衆８は、配信サーバ４で提供されるＷｅｂサイトにアクセスして、所定の情報（携帯端末６の固体識別ＩＤやユーザ情報など）を入力し、提供者（例えば、劇場など）と劇場上演演目に関するサービス提供契約を結ぶと、ステップＳ１０２で、該携帯端末６の固体識別ＩＤがサービスメンバーＤＢ１４に登録される。
【００４３】
次に、ステップＳ１０３で、サービスメンバーが、登録した携帯端末６を用い、劇場内基地局５を経由して配信サーバ４にアクセスすると、ステップＳ１０４で、配信サーバ４は、ダウンロードの際に、アクセスした携帯端末６の種類を、その種類識別データ（いわゆるユーザエージェントデータ）により識別し、携帯端末の種類毎に用意されたアプリケーション１２をダウンロードするためのＷｅｂサイトに誘導し、ステップＳ１０５で、各サービスメンバーは、携帯端末６に適したアプリケーション１２をダウンロードする。このアプリケーション１２には、サービス提供契約を結んだ演目に対する字幕クラスタデータが予め組み込まれており、字幕クラスタＩＤを受信すると、その字幕クラスタＩＤに対応する字幕クラスタデータを特定して表示装置１３に表示する機能を備えている。
【００４４】
なお、上記フローでは、登録及びアプリケーション１２のダウンロードを劇場内で行う構成としたが、以前にメンバー登録を行っている場合は、アプリケーション１２のダウンロードのみを行えばよいし、登録やアプリケーション１２のダウンロードを劇場以外の場所で行ってもよいし、登録をコンピュータ機器などで行ってもよい。また、アプリケーション１２に字幕クラスタデータを組み込まない場合には、アプリケーション１２と字幕クラスタデータとを別々にダウンロードしてもよい。
【００４５】
次に、劇場における字幕情報の表示手順について、図３のフローチャート図を参照して説明する。
【００４６】
まず、ステップＳ２０１で、サービスメンバーである観客・聴衆８は、ダウンロードしたアプリケーション１２を起動する。
【００４７】
次に、字幕情報配信操作者７は、劇場の演目の進行に合せて、字幕情報（字幕クラスタデータ）を、字幕情報配信制御装置３の内部記憶装置に蓄積し、ステップＳ２０２で、字幕情報配信操作者７が字幕情報の出力を指示すると、ステップＳ２０３で、字幕情報配信制御装置３から字幕情報投射用プロジェクタ２に所定の字幕クラスタデータが出力され、字幕情報投射用プロジェクタ２で光学映像に変換されて、劇場舞台周辺に設置けられた劇場内字幕情報投射用スクリーン１に投射されると共に、字幕情報配信制御装置３から配信サーバ４に字幕クラスタＩＤが送信される。
【００４８】
次に、ステップＳ２０４で、配信サーバ４は、送信された字幕クラスタＩＤを、ＩＰネットワーク９、ゲートウェイ１０、携帯端末事業者ネットワーク１１を経由して、基地局５に送信する。
【００４９】
次に、ステップＳ２０５で、基地局制御装置１５は、サービスメンバーＤＢ１４と通信を行い、サービスメンバーＤＢ１４に登録されている携帯端末６があるかを判断し、登録されている携帯端末６があれば、ステップＳ２０６で、登録された携帯端末６に対して字幕クラスタＩＤを送信する。その際、上述したように、携帯端末６の固体識別ＩＤ毎に割り当てる周波数チャンネル及びスロットを固定すれば、接続調整の時間ロスやパケット廃棄を減らし、上演に同期した字幕データ切替のタイミングに必要な情報容量を有する伝送路を、サービス提供を受ける携帯端末６用に確保することができる。
【００５０】
次に、ステップＳ２０７で、字幕クラスタＩＤを受信した携帯端末６のアプリケーション１２は、アプリケーション１２の組込データとして携帯端末６のメモリに格納されている字幕クラスタデータの中から受信した字幕クラスタＩＤに対応した字幕クラスタデータを読み出し、表示装置１３に表示する。
【００５１】
その後、上演演目の進行とともに、字幕情報配信操作者７の操作により字幕クラスタＩＤが順次配信され、その字幕クラスタＩＤに応じて、表示装置１３に表示される字幕情報が順次更新される。
【００５２】
なお、サービスメンバーがアプリケーション１２で表示されるボタンを押すことにより、最新の字幕クラスタＩＤを強制的に取得要求し、その字幕クラスタＩＤに応じた字幕クラスタデータが表示されるようにしてもよいし、所定のボタン操作によって前後の字幕クラスタデータが表示されるようにしてもよい。
【００５３】
上記フローに従って字幕クラスタＩＤを送信することにより、サービスメンバーは上演に同期して字幕情報を確認することができるが、その際、他の電話からの携帯端末６宛の電話またはメール着信があるとアプリケーション１２の使用が中断され、また、観覧の妨げになる。これを避けるためは、サービスを受けている携帯端末６への接続要求を上演時間中は拒否する必要がある。
【００５４】
その場合には、基地局制御装置１５に、サービスメンバーＤＢ１６との通信機能により、本サービスを受けている携帯端末６を認識し、サービス提供中の通話接続要求やメール配信を禁止する（例えば、他の携帯電話機からはサービス圏外或いは通話中状態と認識させる）機能を設ければよい。また、基地局制御装置１５に、携帯端末６への着信を制限する機能を持たせる代わりに、携帯端末６に搭載されるアプリケーション１２側で、サービス提供中は字幕クラスタＩＤ以外を受信しないように制御してもよい。
【００５５】
このように、本実施例の情報配信システム及び情報配信方法では、携帯端末６を字幕情報の表示端末として利用するため、特別な表示端末を設ける必要がなく、簡単な構成で字幕情報を提供することができる。また、観客・聴衆８は携帯端末６の位置を自由に移動できるため、視線を移動させたり座席位置によって見づらくなることがなく、確実に字幕情報を確認することができる。また、登録された携帯端末６に対して、上演前に字幕クラスタデータを送信し、上演中に字幕クラスタＩＤを送信することにより、上演の進行に同期させて確実に字幕情報を提供することができる。更に、基地局制御装置１５でサービスを受けている間の携帯端末６の着信を制限することにより、字幕情報の表示が中断されることがなく、確実に字幕情報を確認することができる。
【００５６】
なお、上記実施例では、複数の携帯端末６に対し同時に字幕情報を配信することで起こる負荷を軽減するために字幕クラスタデータと字幕クラスタＩＤとに分けて配信したが、上演に合わせて字幕クラスタデータを送信することが可能なネットワークを用いる場合には、配信サーバ４から字幕クラスタデータを随時配信する構成としてもよい。
【産業上の利用可能性】
【００５７】
本発明は、翻訳情報や解説情報、歌詞、楽曲情報など情報の配信に限らず、例えば、学校の大教室における授業やテストに関する情報の配信や、講演会のレジュメや配布資料などの文字情報の提供などにも適用することができる。
【図面の簡単な説明】
【００５８】
【図１】本発明の一実施例に係る情報配信システムの構成を模式的に示す図である。
【図２】本発明の一実施例に係る情報配信システムを用いた、サービスメンバー登録及びアプリケーションのダウンロード手順を示すフローチャート図である。
【図３】本発明の一実施例に係る情報配信システムを用いた、字幕情報配信手順を示すフローチャート図である。
【符号の説明】
【００５９】
１  劇場内字幕投射用スクリーン
２  字幕投射用プロジェクタ
３  字幕情報配信制御装置
４  配信サーバ
５  劇場内基地局
６  携帯電話機
７  字幕情報配信操作者
８  観客・聴衆
９  ＩＰネットワーク
１０  ゲートウェイ
１１  携帯端末事業者ネットワーク
１２  アプリケーション
１３  表示装置
１４  サービスメンバーＤＢ
１５  基地局制御装置
１６  加入者管理ＤＢ
１７  ロケーションＤＢ
【図１】
2007236711.tif 000003
【図２】
2007236711.tif 000004
【図３】
2007236711.tif 000005